(57)【特許請求の範囲】
【請求項１】
音源（１１０）によって発せられた音声を第１のオーディオ信号（１４）に変換するように構成された第１のマイクロホン・システム（１２）と、
前記第１のオーディオ信号（１４）を第１のフィルタリングされたオーディオ信号（２２）にフィルタリングするように構成された第１のフィルタ（２０）と、
前記第１のフィルタリングされたオーディオ信号（２２）に少なくとも部分的に基づいてユーザ（１００）の聴力損失を補償する聴力損失補償出力信号（４２）を提供するように構成された聴力損失プロセッサ（４０）と、を備える補聴器（１０）であって、
前記第１のフィルタ（２０）が、前記ユーザ（１００）が前記補聴器（１０）を装着したとき、前記音源（１１０）から前記第１のオーディオ信号（１４）を提供する前記第１のマイクロホン・システム（１２）まで伝播する音声の第１の音声伝播経路（１２０）の第１の伝達関数Ｈ１（ω）の複素共役を、第１の複素スカラで乗算した値と実質的に等しい第１の整合伝達関数Ｈ１＊（ω）を有する、第１の整合フィルタ（２０）であり、前記第１の複素スカラは、前記第１の整合フィルタ（２０）が因果的フィルタとなるように選択されることを特徴とする補聴器（１０）。
【請求項２】
音声を第２のオーディオ信号（２６）に変換するように構成された第２のマイクロホン・システム（２４）と、
前記第２のオーディオ信号（２６）を第２のフィルタリングされたオーディオ信号（３４）にフィルタリングするように構成された第２の整合フィルタ（３２）であって、前記ユーザ（１００）が前記補聴器（１０）を装着したとき、前記音源（１１０）から前記第２のオーディオ信号（２６）を提供する前記第２のマイクロホン・システム（２４）まで伝播する音声の第２の音声伝播経路（１３０）の第２の伝達関数の複素共役を、第２の複素スカラで乗算した値と実質的に等しい第２の整合伝達関数Ｈ２＊（ω）を有し、前記第２の複素スカラは、前記第２の整合フィルタ（３２）が因果的フィルタとなるように選択される、第２の整合フィルタ（３２）と、
前記第１のフィルタリングされたオーディオ信号（２２）と前記第２のフィルタリングされたオーディオ信号（３４）とを加算して、和オーディオ信号（３８）を得るように構成された第１の加算器（３６）と、をさらに備えて、
前記聴力損失プロセッサ（４０）が、前記和オーディオ信号（３８）を処理して前記聴力損失補償出力信号（４２）を提供するように構成された、請求項１に記載の補聴器（１０）。
【請求項３】
前記音源（１１０）が、前記ユーザ（１００）の視線方向に存在する、請求項１または２に記載の補聴器（１０）。
【請求項４】
前記第１の整合フィルタ（２０）が、前記ユーザ（１００）が前記補聴器（１０）を装着したとき、前記音源（１１０）から前記第１のマイクロホン・システム（１２）まで伝播する前記音声の前記第１の音声伝播経路（１２０）のインパルス応答ｈ１（ｔ）を時間反転し、時間シフトしたインパルス応答と実質的に等しいインパルス応答ｈ１（Ｔ−ｔ）を有する、請求項１から３のいずれか一項に記載の補聴器（１０）。
【請求項５】
前記第１および第２の整合伝達関数が、前記第１のフィルタリングされたオーディオ信号（２２）の位相と前記第２のフィルタリングされたオーディオ信号（３４）の位相を実質的に等しくし、前記第１の加算器（３６）が前記第１および第２のフィルタリングされたオーディオ信号（２２、３４）を同相で加算することができることを特徴とする請求項２または請求項２に従属する請求項３または４に記載の補聴器（１０）。
【請求項６】
前記第１および第２の整合伝達関数が、前記第１のフィルタリングされたオーディオ信号（２２）の振幅スペクトルおよび前記第２のフィルタリングされたオーディオ信号（３４）の振幅スペクトルを、それぞれ、前記音源（１１０）によって発せられた前記音声の振幅スペクトルに実質的に等しくする、請求項２または請求項２に従属する請求項３から５のいずれか一項に記載の補聴器（１０）。
【請求項７】
前記補聴器（１０）が、前記第１のオーディオ信号（１４）がそれぞれ複数の周波数チャネルにおいて個別に処理される複数の信号成分に分割されるマルチチャネル補聴器（１０）である、請求項１から６のいずれか一項に記載の補聴器（１０）。
【請求項８】
前記第１の整合フィルタ（２０）が、選択された周波数帯域においてフィルタリングを実行するように構成された、請求項７に記載の補聴器（１０）。
【請求項９】
前記複数の周波数チャネルが、ワーピングされた周波数チャネルを含む、請求項７または８に記載の補聴器（１０）。
【請求項１０】
第１の補聴器（１０Ａ）および第２の補聴器（１０Ｂ）を備える両耳用補聴器システム（１０）であって、前記第１の補聴器（１０Ａ）が、請求項１から９のいずれか一項に記載の補聴器である、両耳用補聴器システム（１０）。
【請求項１１】
前記第１および第２の補聴器（１０Ａ、１０Ｂ）の各々が、請求項１から９のいずれか一項に記載の補聴器である、請求項１０に記載の両耳用補聴器システム（１０）。
【請求項１２】
第１の補聴器（１０Ａ）および第２の補聴器（１０Ｂ）を備える両耳用補聴器システム（１０）であって、前記第１および第２の補聴器（１０Ａ、１０Ｂ）の各々が、請求項２または請求項２に従属する請求項３から９のいずれか一項に記載の補聴器であって、
前記第１の補聴器（１０Ａ）が、前記第１の補聴器（１０Ａ）の前記第１の加算器の出力部に接続された第１の入力部と、前記第２の補聴器（１０Ｂ）の前記第１の加算器の出力部に接続された第２の入力部と、前記第１の補聴器（１０Ａ）の前記和オーディオ信号と前記第２の補聴器（１０Ｂ）の前記和オーディオ信号との両耳和オーディオ信号（３８Ａ）を提供するための出力部とを備えた第２の加算器を有し、
前記聴力損失プロセッサ（４０Ａ）が、前記両耳和オーディオ信号（３８Ａ）を処理して前記聴力損失補償出力信号（４２Ａ、４２Ｂ)を提供するように構成された、両耳用補聴器システム（１０）。
【請求項１３】
拡散性雑音を有する環境内において補聴器（１０）で受信された音声信号の信号対雑音比を増加させる方法であって、
前記補聴器（１０）のマイクロホン・システム（１２）を使用して音響音声をオーディオ信号（１４）に変換するステップを備え、
前記マイクロホン・システム（１２）がユーザ（１００）によって装着されたとき、音源（１１０）から前記マイクロホン・システム（１２）まで伝播する前記音響音声の音声伝播経路（１２０）の伝達関数Ｈ（ω）の複素共役を、第１の複素スカラで乗算した値と実質的に等しい整合伝達関数Ｈ＊（ω）を有する前記補聴器（１０）の第１の整合フィルタ（２０）により、前記オーディオ信号（１４）をフィルタリングするステップをさらに備え、前記第１の複素スカラは、前記第１の整合フィルタが因果的フィルタとなるように選択されることを特徴とする方法。
【請求項１４】
前記信号対雑音比の改善のために、複数の前記フィルタリングされたオーディオ信号（２２，３４）を加算して和オーディオ信号（３８）を得るステップをさらに備え、前記フィルタリングされたオーディオ信号のうちの１つ（２２）が、前記オーディオ信号をフィルタリングする前記ステップからもたらされる、請求項１３に記載の方法。
【発明の詳細な説明】
【技術分野】
【０００１】
拡散性雑音を減らし、空間認識が保存される新しい補聴器が提供される。
【背景技術】
【０００２】
補聴器ユーザは、補聴器を装着しているとき、補聴器を装着しないときよりも音源を定位する能力が劣ることが報告されている。これは、軽度から中度の聴覚障害の人々にとって深刻な問題である。
【０００３】
さらに、補聴器は、典型的には、ユーザが音源を頭の中に定位させるように音声を再生する。音声は、外在化されている（ｅｘｔｅｒｎａｌｉｚｅｄ）のではなく、内在化されている（ｉｎｔｅｒｎａｌｉｚｅｄ）と言われる。「雑音中の発話を聞き取る問題」に言及するとき、補聴器ユーザにとっての共通の不満は、信号対雑音比（ＳＮＲ）が必要な発話明瞭度を提供するのに十分であるにもかかわらず、話されている事を追っていくことが非常に難しいということである。この事実の重要な要因は、補聴器が内在化された音場を再生することである。これは、補聴器ユーザの認知に関する負荷を追加し、聴取の疲労をもたらし、最終的には、ユーザが補聴器を取り外すことになる可能性がある。
【０００４】
最近、音源の定位が改善された新しい補聴器が開示されている。すなわち、新しい補聴器は、補聴器の装着者の頭の向きに対する音環境におけるそれぞれの音源の方向に関する情報を保存する。ＥＰ２７５０４１０Ａ１、ＥＰ２７５０４１１Ａ１、およびＥＰ２７５０４１２Ａ１を参照されたい。
【０００５】
改善された音源定位は、補聴器ユーザがカクテル・パーティ効果を利用することを可能にする。すなわち、ユーザは、たとえば、パーティにおける騒々しい部屋内の単一の会話に集中するために、すべての他の音声を抑制しながら、選択された音源に聴覚注意を集中させることができる。
【０００６】
しかしながら、信号対雑音比（ＳＮＲ）がよくない複雑な聴取状況では、一部の聴覚障害者は、空間的手がかりを使用して異なる音源間を区別すること、ならびに選択された音源に集中して他のすべて音源を抑制するということができない。こうした状況および／またはこのような一部の集団のために他の解決策が開発されなければならない。
【０００７】
この問題を軽減する１つの周知の方法は、指向性などのＳＮＲ向上技術を用いることである。指向性システムは、目標方向以外のすべての方向からの信号エネルギーを抑制するように動作する。このようなシステムは、干渉音が指向性を有することを必要とするが、レストランなどの複雑な聴取状況では、補聴器ユーザは、拡散性雑音からの干渉を経験する。拡散性雑音は、空間的に白色あるいはおおよそ空間的に白色であり、すなわち、雑音場において記録された信号は、異なる場所におけるどのような他の信号記録とも無相関である。補聴器システムのマイクロホンの数は、典型的には、拡散性雑音を効果的に抑制するには不十分である。したがって、指向性システムは、このような聴取状況に対して限定された効果しか持たない。
【０００８】
指向性を適用するときの別の不満は、聴取者が環境認識を失うことである。
【発明の概要】
【発明が解決しようとする課題】
【０００９】
したがって、空間認識を維持したまま拡散性雑音を低減する技術が必要である。
【課題を解決するための手段】
【００１０】
マイクロホン・システムを使用して音声をオーディオ信号に変換するステップと、
マイクロホン・システムがユーザによって装着されたとき、音源からマイクロホン・システムまでの音響音声の音声伝播経路の伝達関数と整合または実質的に整合する整合伝達関数を有する整合フィルタを用いてオーディオ信号をフィルタリングするステップと
を備える、拡散性雑音を有する環境内で受信された音声信号の信号対雑音比を増加させる新しい方法が提供される。
【００１１】
伝達関数は、好ましくは、マイクロホン・システムの伝達関数を含む。
【００１２】
本開示を通して、整合伝達関数が、他の伝達関数の、複素スカラが乗算された、複素共役と等しいか、または実質的に等しいとき、整合フィルタは、別の伝達関数と整合または実質的に整合する整合伝達関数を有すると言われる。この場合、複素スカラの値は、整合フィルタが因果的（ｃａｕｓａｌ）フィルタであるように選択されてもよい。
【００１３】
整合フィルタは、マイクロホン・システムがユーザによって装着されたとき、音源からマイクロホン・システムまでの音声伝播経路のインパルス応答が時間シフトされ、時間逆転されたインパルス応答に、場合によっては整合フィルタが因果的フィルタとなるように時間シフトされたインパルス応答に等しいか、または実質的に等しいインパルス応答を有してもよい。
【００１４】
整合フィルタは、伝達関数によって生じる振幅スペクトルの変化を補償するために、フィルタリングされたオーディオ信号の振幅スペクトルの等化を実行することができる。
【００１５】
新しい方法は、信号対雑音比のさらなる改善のために、複数のフィルタリングされたオーディオ信号を加算して和オーディオ信号を取得するステップをさらに備えることができる。
【００１６】
さらに、音源によって発せられた音声を第１のオーディオ信号に変換するように構成された第１のマイクロホン・システムと、
第１のオーディオ信号を第１のフィルタリングされたオーディオ信号にフィルタリングするように構成された第１の整合フィルタであって、第１の整合フィルタが、ユーザが補聴器を装着したとき、音源から第１のオーディオ信号を提供する第１のマイクロホン・システムまで伝播する音声の第１の音声伝播経路の第１の伝達関数と整合または実質的に整合する第１の整合伝達関数を有する、第１の整合フィルタと、
第１のフィルタリングされたオーディオ信号に少なくとも部分的に基づいてユーザの聴力損失を補償する聴力損失補償出力信号を提供するように構成された聴力損失プロセッサと
を備える新しい補聴器が提供される。
【００１７】
補聴器は、
音声を第２のオーディオ信号に変換するように構成された第２のマイクロホン・システムと、
第２のオーディオ信号を第２のフィルタリングされたオーディオ信号にフィルタリングするように構成された第２の整合フィルタであって、第２の整合フィルタが、ユーザが補聴器を装着したとき、音源から第２のオーディオ信号を提供する第２のマイクロホン・システムまで伝播する音声の第２の音声伝播経路の第２の伝達関数と整合または実質的に整合する第２の整合伝達関数を有する、第２の整合フィルタと、
和オーディオ信号を得るために、第１のフィルタリングされたオーディオ信号と第２のフィルタリングされたオーディオ信号とを加算するように構成された第１の加算器と
をさらに備えてもよく、聴力損失プロセッサは、聴力損失補償出力信号を提供するために和オーディオ信号を処理するように構成されてもよい。
【００１８】
第１の整合フィルタは、マイクロホンの出力部において提供されるオーディオ信号をフィルタリングされたオーディオ信号にフィルタリングするために、第１のマイクロホン・システムのマイクロホンの出力部に接続されてもよい。
【００１９】
第１の整合フィルタは、複数のマイクロホンの合成出力部において提供されるオーディオ信号をフィルタリングされたオーディオ信号にフィルタリングするために、第１のマイクロホン・システムの複数のマイクロホンの合成出力部に接続されてもよい。
【００２０】
第１の整合フィルタは、第１のマイクロホン・システムがユーザによって装着されたとき、第１の整合フィルタが音源から第１のマイクロホン・システムまでの第１の音声伝播経路の因果的フィルタであることを保証するために場合によっては時間シフトされた、時間逆転され、場合によっては時間シフトされたインパルス応答に等しいか、または実質的に等しいインパルス応答を有してもよい。
【００２１】
第１の整合フィルタは、第１の伝達関数によって生じる振幅スペクトルの変化を補償するために、第１のフィルタリングされたオーディオ信号の振幅スペクトルの等化を実行することができる。
【００２２】
第２の整合フィルタは、マイクロホンの出力部において提供されるオーディオ信号をフィルタリングされたオーディオ信号にフィルタリングするために、第２のマイクロホン・システムのマイクロホンの出力部に接続されてもよい。
【００２３】
第２の整合フィルタは、複数のマイクロホンの合成出力部において提供されるオーディオ信号をフィルタリングされたオーディオ信号にフィルタリングするために、第２のマイクロホン・システムの複数のマイクロホンの合成出力部に接続されてもよい。
【００２４】
第２の整合フィルタは、第２のマイクロホン・システムがユーザによって装着されたとき、第２の整合フィルタが音源から第２のマイクロホン・システムまでの第２の音声伝播経路の因果的フィルタであることを保証するために場合によっては時間シフトされた、時間逆転され、場合によっては時間シフトされたインパルス応答に等しいか、または実質的に等しいインパルス応答を有することができる。
【００２５】
第２の整合フィルタは、第２の伝達関数によって生じる振幅スペクトルの変化を補償するために、第２のフィルタリングされたオーディオ信号の振幅スペクトルの等化を実行することができる。
【００２６】
第１および第２の整合伝達関数は、第１の加算器が第１および第２のフィルタリングされたオーディオ信号を同相で加算することができるように、第１のフィルタリングされたオーディオ信号の位相と第２のフィルタリングされたオーディオ信号の位相とを実質的に等しくすることができる。
【００２７】
以下では、補聴器がユーザによって装着されたときの音源からオーディオ信号を提供するマイクロホン・システムまでの第２の伝播経路の伝達関数を、マイクロホン関連伝達関数と呼ぶ。
【００２８】
マイクロホン関連伝達関数は、好ましくは、マイクロホン・システムの伝達関数を含む。
【００２９】
好ましくは、補聴器はまた、聴力損失補償出力信号を、人間の聴覚システムによって受信され得る音響出力信号または埋込み型トランスデューサ信号などの聴覚出力信号へ変換するための出力トランスデューサを備える。
【００３０】
新しい補聴器は、ＢＴＥ、ＲＩＥ、ＩＴＥ、ＩＴＣ、ＣＩＣなどの補聴器、またはこれらの組合せなどの任意のタイプの補聴器であってもよい。
【００３１】
新しい補聴器は、性能を最適化するために補聴器間のデータ交換を利用する新しい両耳用補聴器システムの一部を形成してもよい。
【００３２】
整合フィルタは、たとえば、多くの同時会話がある集会などの、拡散性音響雑音が著しく多い環境内で音源から発せられる信号のＳＮＲを改善するように動作する。
【００３３】
頭部関連伝達関数（ＨＲＴＦ）と同様に、マイクロホン関連伝達関数は、頭部の周囲での回折、肩からの反射、耳介および外耳道による反射などのために、補聴器のユーザに対する音源の方向と距離、およびユーザの解剖学的構造に依存する。
【００３４】
したがって、最適な性能のために、選択された方向および距離の１つまたは複数のマイクロホン関連伝達関数が、個々のユーザについて決定され、１つまたは複数のそれぞれの整合フィルタによって整合または実質的に整合される。
【００３５】
聴取者が音源の遠方場に存在する場合、ＨＲＴＦのようなマイクロホン関連伝達関数は、距離とともに変化しない。典型的には、音源までの距離が１．５ｍよりも長いとき、聴取者は、音源の遠方場に存在する。
【００３６】
したがって、決定されたマイクロホン関連伝達関数のうちの少なくともいくつかは、選択された方向の遠方場マイクロホン関連伝達関数であってもよい。
【００３７】
ユーザに対して個別に決定されたマイクロホン関連伝達関数の代わりに、近似マイクロホン関連伝達関数が使用されてもよい。近似マイクロホン関連伝達関数は、ＫＥＭＡＲ（登録商標）頭部などの人工頭部を使用して決定されてもよい。このようにして、補聴器ユーザが拡散性雑音を有する環境内で改善されたＳＮＲを得るのに十分な精度となりうる、個々のマイクロホン関連伝達関数に近似するマイクロホン関連伝達関数が提供される。
【００３８】
近似マイクロホン関連伝達関数は、人間の集団に対して以前に決定されたマイクロホン関連伝達関数の平均として決定されてもよい。この集団は、それぞれの対応する個々のマイクロホン関連伝達関数により近接して整合する近似マイクロホン関連伝達関数を得るために、個々のマイクロホン関連伝達関数が決定されるべき人の特定の特徴に適合するように選択されてもよい。たとえば、集団は、年齢、人種、性別、家族、耳のサイズなどに、単独で、または任意の組合せに従って選択されてもよい。適切なマイクロホン関連伝達関数は、いくつかの方向にわたる平均を含むこともできる。
【００３９】
近似マイクロホン関連伝達関数は、たとえば、対象患者がより若い時のフィッティング・セッションで、以前に決定されたマイクロホン関連伝達関数であってもよい。
【００４０】
補聴器内の整合フィルタによって整合または実質的に整合されたマイクロホン関連伝達関数の選択された方向は、好ましくは、ユーザの視線の前方方向を含むが、任意の方向または多数の方向を含んでもよい。
【００４１】
補聴器が複数の整合フィルタを備える場合、補聴器は、整合フィルタの出力部において提供されるフィルタリングされたオーディオ信号を加算して、聴力損失補償出力信号に処理するための聴力損失プロセッサに入力される和オーディオ信号に取得するように構成された加算器も備える。
【００４２】
音源が発した音がそれぞれの伝播経路に沿ってそれぞれのマイクロホンまで伝わる方向に音源が配置され、伝播経路の伝達関数がそれぞれの整合フィルタに整合または実質的に整合されていれば、整合フィルタは記録された信号からの音源からマイクロホンへの音波の伝播に由来する位相成分を等化する。その結果、これに続き、加算器はフィルタリングされた信号を同相で加算し、出力信号和のＳＮＲをさらに改善する。これは、拡散性雑音が時間と空間の両方で無相関であり、フィルタリングによりＳＮＲが改善され、マイクロホン間で平均化されるという事実による。
【００４３】
和オーディオ信号のＳＮＲをさらに改善するために、それぞれの整合フィルタに接続されるマイクロホンをさらに回路に追加し、フィルタリングされたオーディオ信号がさらに加算器に入力されるようにしてもよい。
【００４４】
加算器は、加算器に入力される信号の加重和を形成してもよい。
【００４５】
第１のマイクロホン・システムは、音声を第１のオーディオ信号に変換するように構成された第１のマイクロホンを備えてもよく、第２のマイクロホン・システムは、音声を第２のオーディオ信号に変換するように構成された第２のマイクロホンを備えてもよい。
【００４６】
新しい補聴器は、左耳補聴器と右耳補聴器とを備え、左耳補聴器および右耳補聴器のうちの１つが新しい補聴器である新しい両耳用補聴器システムの一部を形成してもよい。
【００４７】
新しい両耳用補聴器システムでは、左耳補聴器および右耳補聴器のうちの１つは、左耳補聴器および右耳補聴器のうちの他の１つのマイクロホンから発するオーディオ信号をフィルタリングするたように構成された少なくとも１つの整合フィルタを有していてもよい。
【００４８】
新しい両耳用補聴器システムは、第１の補聴器と第２の補聴器とを備えることができ、第１および第２の補聴器の各々は、
音源によって発せられた音声を第１のオーディオ信号に変換するように構成された第１のマイクロホン・システムと、
第１のオーディオ信号を第１のフィルタリングされたオーディオ信号にフィルタリングするように構成された第１の整合フィルタであって、第１の整合フィルタが、ユーザが補聴器を装着したとき、音源から第１のオーディオ信号を提供する第１のマイクロホン・システムまで伝播する音声の第１の音声伝播経路の第１の伝達関数と整合または実質的に整合する第１の整合伝達関数を有する、第１の整合フィルタと、
第１のフィルタリングされたオーディオ信号に少なくとも部分的に基づいてユーザの聴力損失を補償する聴力損失補償出力信号を提供するように構成された聴力損失プロセッサと
を備えてもよい。
【００４９】
第１および第２の補聴器の各々は、
音声を第２のオーディオ信号に変換するように構成された第２のマイクロホン・システムと、
第２のオーディオ信号を第２のフィルタリングされたオーディオ信号にフィルタリングするように構成された第２の整合フィルタであって、第２の整合フィルタが、ユーザが補聴器を装着したとき、音源から第２のオーディオ信号を提供する第２のマイクロホン・システムまで伝播する音声の第２の音声伝播経路の第２の伝達関数と整合または実質的に整合する第２の整合伝達を有する、第２の整合フィルタと、
和オーディオ信号を得るために、第１のフィルタリングされたオーディオ信号と第２のフィルタリングされたオーディオ信号とを加算するように構成された第１の加算器と
をさらに備えることができ、聴力損失プロセッサは、聴力損失補償出力信号を提供するために和オーディオ信号を処理するように構成されてもよい。
【００５０】
さらに、第１および第２の補聴器のうちの１つの聴力損失プロセッサは、第１および第２の補聴器のうちの他の１つの第１の加算器の出力部に接続された入力部を有してもよく、プロセッサは、左耳補聴器および右耳補聴器の第１の加算器の出力を加算するように構成されてもよい。
【００５１】
第１の補聴器は、第１の補聴器の第１の加算器の出力部に接続された第１の入力部と、第２の補聴器の第１の加算器の出力部に接続された第２の入力部と、第１の補聴器の和オーディオ信号と第２の補聴器の和オーディオ信号との両耳和を提供するための出力部とを備える第２の加算器を有しいてもよく、聴力損失プロセッサは、聴力損失補償出力信号を提供するために両耳和オーディオ信号を処理するように構成されてもよい。
【００５２】
信号は、補聴器の技術分野において周知のように、左耳補聴器と右耳補聴器との間で有線または無線で通信してもよい。
【００５３】
以下では、整合フィルタの１つの伝達関数が導かれる。
【００５４】
補聴器、たとえば、ｎ個のマイクロホンを有する両耳用補聴器システムにおいて、第ｎ番目のマイクロホンが、ユーザが聞くことを望む音声信号、たとえば、発話などの雑音の多いバージョンの音声信号を受信すると仮定する。第ｎ番目のマイクロホンは、
Ｓｎ（ω）＝Ｈｎ（ω）Ｘ（ω）＋Ｖｎ（ω）
に従ってスペクトルＳｎ（ω）を有するオーディオ信号ｓｎ（ｔ）を出力する。ここで、ωは、角周波数である。
【００５５】
Ｘ（ω）は発話信号スペクトルであり、Ｈｎ（ω）は、音源から第ｎのマイクロホンまでの音声伝播を記述する第ｎのマイクロホン関連伝達関数であり、Ｖｎ（ω）は、対応するマスカ信号スペクトルである。さらに、
【数１】
0006267834.tif 000002
を仮定する。
【００５６】
ここで、Ｅは、期待演算子であり、＊は、複素共役を表す。さらに、マスカがガウス分布を有することも仮定する。受信信号スペクトルをベクトル形式で書き表すと、
【数２】
0006267834.tif 000003
となる。
【００５７】
所与のＸ（ω）を測定する条件付き確率ｓ（ω）は、
【数３】
0006267834.tif 000004
に比例する。ここで、Ｒｖｖ−１は、マスカの自己共分散行列の逆数である。この式の自然対数をとり、定数項を除去すると、
【数４】
0006267834.tif 000005
となる。
【００５８】
微分し、ゼロに設定すると、
【数５】
0006267834.tif 000006
となる。
【００５９】
マスカが空間的に白色であるという事実を使用すると、これは、
【数６】
0006267834.tif 000007
に簡略化される。
【００６０】
ここで、引数Ｔを有する指数関数は、対応する時間領域の態様が因果的であることのみを目的として含まれる。時間領域では、
【数７】
0006267834.tif 000008
【００６１】
ここで、
【数８】
0006267834.tif 000009
は、畳み込み演算子である。すなわち、
【数９】
0006267834.tif 000010
は、関数ｆ１およびｆ２の畳み込みを意味する。ｈｎ（ｔ）は、Ｈｎ（ω）の逆フーリエ変換であり、ｓｎ（ｔ）は、第ｎの測定されたマイクロホン信号である。
【数１０】
0006267834.tif 000011
は、フィルタリング演算を補償するための周波数にわたる振幅等化を記述するフィルタである。ここで、Ｆ−１（・）は、（・）の逆フーリエ変換である。
【００６２】
新しい補聴器は、処理されるべきオーディオ信号が、それぞれ複数の周波数チャネルにおいて個別に処理される複数の信号成分に分割されるマルチチャネル補聴器であってもよい。
【００６３】
整合フィルタのうちの１つ、いくつか、またはすべては、複数の周波数チャネルに分割されてもよく、または、補聴器の全周波数範囲で依然として動作してもよく、または、補聴器回路の他の部分が分割される以外の周波数チャネル、典型的にはより少ない周波数チャネルに分割されてもよい。
【００６４】
新しい補聴器では、整合フィルタのうちの１つ、いくつか、またはすべては、それぞれの選択された周波数帯域において動作してもよい。
【００６５】
選択された周波数帯域の各々は、周波数チャネルのうちの１つもしくは複数、または周波数チャネルのすべてを含んでもよい。選択された周波数帯域は、断片化されてもよく、すなわち、選択された周波数帯域は、連続する周波数チャネルを含む必要はない。
【００６６】
複数の周波数チャネルは、ワーピングされた周波数チャネルを含むことができ、たとえば、すべての周波数チャネルは、ワーピングされた周波数チャネルであってもよい。
【００６７】
選択された周波数帯域の外側で、オーディオ信号は、従来の方法における聴力損失補償のために処理されてもよい。
【００６８】
このように、拡散性雑音が存在しない周波数チャネルにおいて整合フィルタリングが回避されてもよい。
【００６９】
本明細書で使用される場合、「実質的に」および「およそ」という用語は、電気工学の分野において経験される変動および不正確さを説明し、絶対的なものからの逸脱がそのように変更された用語または表現の範囲内に含まれることを意味するように意図される。たとえば、それらは、±５％以下、±２％以下、±１％以下、±０．５％以下、±０．２％以下、±０．１％以下などの、±１０％以下である偏差を指してもよい。
【００７０】
新しい補聴器におけるフィルタリングを含む信号処理は、専用ハードウェアによって実行されてもよく、もしくは信号プロセッサにおいて実行されてもよく、または専用ハードウェアと１つもしくは複数の信号プロセッサの組合せにおいて実行されてもよい。
【００７１】
本明細書で使用される場合、「プロセッサ」、「信号プロセッサ」、「コントローラ」、「システム」などの用語は、ハードウェア、ハードウェアとソフトウェアの組合せ、ソフトウェア、または実行中のソフトウェアのいずれかのＣＰＵ関連エンティティを指すように意図される。プロセッサという用語は、ＣＰＵ関連エンティティであってもなくてもよい何らかのハードウェアを含む任意の集積回路を指すこともある。たとえば、いくつかの実施形態では、プロセッサは、フィルタを含んでもよい。
【００７２】
たとえば、「プロセッサ」、「信号プロセッサ」、「コントローラ」、「システム」などは、限定はしないが、プロセッサ上で実行されているプロセス、プロセッサ、オブジェクト、実行可能ファイル、実行のスレッド、および／またはプログラムであってもよい。
【００７３】
例示として、「プロセッサ」、「信号プロセッサ」、「コントローラ」、「システム」などという用語は、プロセッサ上で実行されるアプリケーションとハードウェア・プロセッサの両方を示す。１つまたは複数の「プロセッサ」、「信号プロセッサ」、「コントローラ」、「システム」など、またはそれらの任意の組合せは、プロセスおよび／または実行のスレッド内に存在してもよく、１つまたは複数の「プロセッサ」、「信号プロセッサ」、「コントローラ」、「システム」など、またはそれらの任意の組合せは、他のハードウェア回路と組み合わせて、１つのハードウェア・プロセッサ上に局在化されてもよく、および／または、他のハードウェア回路と組み合わせて、２つ以上のハードウェア・プロセッサ間に分散されてもよい。
【００７４】
また、プロセッサ（または類似の用語）は、信号処理を実行することができる任意の構成要素または構成要素の任意の組合せであってもよい。たとえば、信号プロセッサは、ＡＳＩＣプロセッサ、ＦＰＧＡプロセッサ、汎用プロセッサ、マイクロプロセッサ、回路構成要素、または集積回路であってもよい。
【００７５】
本発明の一実施形態による補聴器は、音源によって発せられた音声を第１のオーディオ信号に変換するように構成された第１のマイクロホン・システムと、第１のオーディオ信号を第１のフィルタリングされたオーディオ信号にフィルタリングするように構成された第１の整合フィルタであって、第１の整合フィルタが、ユーザが補聴器を装着したとき、音源から第１のマイクロホン・システムまで至る第１の音声伝播経路の第１の伝達関数と整合または実質的に整合する第１の整合伝達関数を有する、第１の整合フィルタと、第１のフィルタリングされたオーディオ信号に少なくとも部分的に基づいてユーザの聴力損失を補償する聴力損失補償出力信号を提供するように構成された聴力損失プロセッサと、を備える。
【００７６】
補聴器は、第２のオーディオ信号を提供するように構成された第２のマイクロホン・システムと、第２のオーディオ信号を第２のフィルタリングされたオーディオ信号にフィルタリングするように構成された第２の整合フィルタであって、第２の整合フィルタが、ユーザが補聴器を装着したとき、音源から第２のマイクロホン・システムまで至る第２の音声伝播経路の第２の伝達関数と整合または実質的に整合する第２の整合伝達関数を有する、第２の整合フィルタと、和オーディオ信号を得るために、第１のフィルタリングされたオーディオ信号と第２のフィルタリングされたオーディオ信号とを加算するように構成された第１の加算器とをさらに備え、聴力損失プロセッサは、聴力損失補償出力信号を提供するために和オーディオ信号を処理するように構成されてもよい。
【００７７】
第１および第２の整合伝達関数は、第１のフィルタリングされたオーディオ信号の位相と第２のフィルタリングされたオーディオ信号の位相とを実質的に等しくし、第１の加算器が第１および第２のフィルタリングされたオーディオ信号を同相で加算することができるようにしてもよい。
【００７８】
第１および第２の整合伝達関数は、第１および第２のフィルタリングされたオーディオ信号の振幅スペクトルを、音源によって発せられた音声の振幅スペクトルと実質的に等しくしてもよい。
【００７９】
音源は、ユーザの視線方向に存在してもよい。
【００８０】
第１の整合フィルタは、第１の音声伝播経路のインパルス応答を時間反転し、時間シフトしたインパルス応答と実質的に等しいインパルス応答を有してもよい。
【００８１】
補聴器は、第１のオーディオ信号が、それぞれ複数の周波数チャネルにおいて個別に処理される複数の信号成分に分割されるマルチチャネル補聴器であってもよい。
【００８２】
前記第１の整合フィルタは、選択された周波数帯域においてフィルタリングを実行するように構成されてもよい。
【００８３】
前記複数の周波数チャネルは、ワーピングされた周波数チャネルを含んでもよい。
【００８４】
本発明の実施形態による両耳用補聴器システムは、第１の補聴器と第２の補聴器とを備え、第１の補聴器は、本明細書で説明する補聴器のいずれかである。
【００８５】
本発明の実施形態による両耳用補聴器システムは、第１の補聴器と第２の補聴器とを備え、第１および第２の補聴器の各々は、本明細書で説明する補聴器のいずれかである。
【００８６】
第２の補聴器は、第１の加算器を有し、第１の補聴器は、第２の加算器を有し、第２の加算器は、第１の補聴器の加算器の出力部に接続された第１の入力部と、第２の補聴器の第１の加算器の出力部に接続された第２の入力部とを有し、第１の補聴器の第２の加算器は、第１の補聴器の和オーディオ信号と第２の補聴器の和オーディオ信号とに基づく両耳和オーディオ信号を提供するための出力部を備え、聴力損失プロセッサは、聴力損失補償出力信号を提供するために両耳和オーディオ信号を処理するように構成されていてもよい。
【００８７】
本発明の実施形態による、拡散性雑音を有する環境内で受信された音声信号の信号対雑音比を増加させる方法は、マイクロホン・システムを使用して音響音声をオーディオ信号に変換するステップと、マイクロホン・システムがユーザによって装着されたとき、音源からマイクロホン・システムまで至る音声伝播経路の伝達関数と実質的に整合する整合伝達関数を有する整合フィルタを用いてオーディオ信号をフィルタリングするステップとを含む。
【００８８】
前記方法は、信号対雑音比の改善のために、複数のフィルタリングされたオーディオ信号を加算して和オーディオ信号を得るステップをさらに含んでもよく、フィルタリングされたオーディオ信号のうちの１つは、オーディオ信号をフィルタリングするステップからもたらされてもよい。
【００８９】
他の特徴および利点は、以下の詳細な説明において説明される。
【図面の簡単な説明】
【００９０】
以下、新しい方法および補聴器は、様々な例が示された図面を参照してより詳細に説明される。
【図１】聴取状況において２つのマイクロホンを有する補聴器を装着するユーザを概略的に示す図である。
【図２】２つのマイクロホンと２つの整合フィルタとを有する新しい補聴器を概略的に示す図である。
【図３】左右の補聴器の各々に複数のマイクロホンが収容された新しい両耳用補聴器システムを装着するユーザを概略的に示す図である。
【図４】新しい両耳用補聴器システムの１つの例示的な回路を概略的に示す図である。
【図５】新しい両耳用補聴器システムの別の例示的な回路を概略的に示す図である。
【図６】従来の無指向性マイクロホン・システムおよび新しい最適化された無指向性マイクロホン・システムの指向特性のプロットを示す図である。
【発明を実施するための形態】
【００９１】
図面は、類似の要素が共通の参照番号によって参照される実施形態の設計および有用性を示す。したがって、同様の要素は、各図の説明に関して詳細に説明されない場合がある。上記および他の利点および目的がどのようにして得られるのかをよりよく理解するために、添付の図面に示された実施形態のより具体的な説明が与えられる。図面が特徴の説明を容易にすることのみを目的としていることに留意すべきである。それらは、特許請求の範囲に記載された発明の網羅的な説明として、または特許請求の範囲に記載された発明の範囲に対する限定として意図されていない。加えて、図示された特徴は、示されたすべての態様または利点を必ずしも有する必要はない。特定の特徴に関連して説明された態様または利点は、その特徴に必ずしも限定されず、そのように図示されていないか、または明示的に説明されていなくても、任意の他の特徴において実施されてもよい。
【００９２】
添付の特許請求の範囲による新しい補聴器は、添付の図面に示されていない異なる形態で実施されてもよく、本明細書に記載された例に限定されるものとして解釈されるべきではない。
【００９３】
図１は、ユーザの右耳にＢＴＥ補聴器（補聴器のマイクロホンのみが示されている）を装着しているユーザ１００を概略的に示す。ＢＴＥ補聴器１０は、マイクロホンの中心を通る線がユーザの視線方向と平行に延在するようにＢＴＥ補聴器ハウジング内に収容された２つのマイクロホン１２、２４を有する。図１では、ユーザ１００は、話し手１１０の話を聞くことを望むが、ユーザである聴取者１００および話者１１０は、様々な会話に携わる何人かの他の人々（図示せず）によって取り囲まれている。結果として、ユーザ１００は、拡散性雑音場にさらされ、結果として、聴覚障害のあるユーザは、他の話者からの発話および他の音声を抑制しながら、選択された音源、すなわち、会話相手１１０に聴覚注意を集中させることができない。
【００９４】
図２は、図１のユーザ１００によって装着されたＢＴＥ補聴器１０のブロック図を示す。
図示のＢＴＥ補聴器１０は、音響音声を前方オーディオ信号１４に変換する前方マイクロホン１２を有する。前方オーディオ信号１４は、第１の前処理フィルタ１６において、前処理されて、前方オーディオ信号１８となる。前処理は、いかなる形式の処理も排除することなく、適応および／もしくは静的フィードバック抑制、ならびに／または適応および／もしくは固定ビームフォーミング、ならびに／または前フィルタリングを備えてもよい。第１の整合フィルタ２０は、第１の前処理フィルタ１６の出力部に接続され、前処理された前方オーディオ信号１８をフィルタリングして前方のフィルタリングされたオーディオ信号２２となるように動作する。音源１１０（図１参照）は、ユーザ１００が補聴器１０を装着したとき、ユーザ１００の視線方向にあり、マイクロホン１２に向けて音声を発する。
前方マイクロホン１２は、ユーザの視線方向の遠方場マイクロホン関連伝達関数Ｈ１（ω）を有し、第１の整合フィルタ２０は、第１の整合フィルタ２０のインパルス応答ｈ１（Ｔ−ｔ）が因果的であることを保証するように、複素スカラｅ−ｊωＴを乗算した遠方場マイクロホン関連伝達関数Ｈ１＊（ω）の複素共役に等しい整合伝達関数を有する。
同様に、図示のＢＴＥ補聴器１０は、音響音声を後方オーディオ信号２６に変換する後方マイクロホン２４も有する。後方オーディオ信号２６は、第２の前処理フィルタ２８において前処理され、前処理された後方オーディオ信号３０となる。前処理は、いかなる形式の処理も排除することなく、適応および／もしくは静的フィードバック抑制、ならびに／または適応および／もしくは固定ビームフォーミング、ならびに／または前フィルタリングを含むことができる。第２の整合フィルタ３２は、第２の前処理フィルタ２８の出力部に接続され、前処理された後方オーディオ信号３０を後方のフィルタリングされたオーディオ信号３４にフィルタリングするように動作する。後方マイクロホン２４は、ユーザ１００の視線方向の遠方場マイクロホン関連伝達関数Ｈ２（ω）を有し、第２の整合フィルタ３２は、第２の整合フィルタ３２のインパルス応答ｈ２（Ｔ−ｔ）が因果的であることを保証するために、複素スカラｅ−ｊωＴを乗算した遠方場マイクロホン関連伝達関数Ｈ２＊（ω）の複素共役に等しいかまたは実質的に等しい整合伝達関数を有する。
補聴器１０の他の実施形態は、２つよりも多い数のマイクロホンを有してもよい。
【００９５】
整合フィルタ２０、３２は、たとえば、多くの人が同時に会話する集会において、かなりの拡散性音響雑音を有する環境内の音源１１０に由来するオーディオ信号１４、２６のＳＮＲを改善するように動作する。
【００９６】
前方および後方オーディオ信号２２、３４は、加算器３６に入力され、ここで前方および後方オーディオ信号２２、３４が加算されて和オーディオ信号３８が得られる。
【００９７】
整合フィルタ２０、３２は、それぞれの入力信号１８、３０から位相を除去し、加算器３６はフィルタリングされた信号２２、３４を同相で加算して、和オーディオ信号３８のＳＮＲがさらに改善される。
【００９８】
加算器３６は、加算器３６に入力される信号２２、３４の加重和を形成することができる。
【００９９】
和オーディオ信号３８は、和オーディオ信号３８を聴力損失補償出力信号４２に処理するように構成された聴力損失プロセッサ４０に入力され、聴力損失補償出力信号４２は、場合によっては補聴器１０のメモリ（図示せず）に記憶されたいくつかの選択可能な聴力プログラムに従って、補聴器の技術分野において周知の方法によってユーザの聴力損失について補償される。
【０１００】
最後に、聴力損失補償出力信号４２は、聴力損失補償出力信号４２を、補聴器１０を装着しているユーザ１００の鼓膜に向かって放射される音響出力信号に変換するためのレシーバ４４の形態の出力トランスデューサ４４に入力される。
【０１０１】
最適な性能のために、ユーザ１００の視線方向における音源１１０からそれぞれのマイクロホン１２、２４までのそれぞれの音響伝播経路１２０、１３０のマイクロホン関連伝達関数Ｈ１（ω）、Ｈ２（ω）は、個々のユーザ１００について決定され、それぞれの整合フィルタ２０、３２によって整合される。
【０１０２】
しかしながら、近似マイクロホン関連伝達関数Ｈ１’（ω）、Ｈ２’（ω）が代わりに使用されてもよい。Ｈ１’（ω）、Ｈ２’（ω）は、ＫＥＭＡＲ頭部などの人工頭部を使用して決定されてもよく、それによって、補聴器ユーザ１００が拡散性雑音を有する環境において和オーディオ信号３８の改善されたＳＮＲを得るために十分な精度の近似マイクロホン関連伝達関数Ｈ１’（ω）、Ｈ２’（ω）が提供される。
【０１０３】
近似マイクロホン関連伝達関数Ｈ１’（ω）、Ｈ２’（ω）は、人間の集団に対して以前に決定されたマイクロホン関連伝達関数の平均として決定されてもよい。人間の集団は、それぞれの対応する個々のマイクロホン関連伝達関数により近接して整合する近似マイクロホン関連伝達関数を得るために、個々のマイクロホン関連伝達関数が決定されるべき人の特定の特徴に適合するように選択されてもよい。たとえば、人間の集団は、年齢、人種、性別、家族、耳のサイズなどに、単独で、または任意の組合せに従って選択されてもよい。平均化は、いくつかの方向にわたって実行されてもよい。
【０１０４】
近似マイクロホン関連伝達関数は、たとえば、対象のユーザがより若い時の以前のフィッティング・セッション中に、ユーザについて以前に決定されたマイクロホン関連伝達関数であってもよい。
和オーディオ信号３８は、以下の式に従って提供される。
【数１１】
0006267834.tif 000012
【０１０５】
ここで、
【数１２】
0006267834.tif 000013
は、畳み込み演算子である。すなわち、
【数１３】
0006267834.tif 000014
は、関数ｆ１およびｆ２の畳み込みを意味する。ｎは、マイクロホン・インデックスである。すなわち、前方マイクロホン１２についてはｎ＝１であり、後方マイクロホン２４についてはｎ＝２である。ｈｎ（ｔ）は、Ｈｎ（ω）の逆フーリエ変換である。ｓｎ（ｔ）は、第ｎ番目の前フィルタリングされたマイクロホン信号１８、３０である。
【数１４】
0006267834.tif 000015
は、フィルタリング演算を補償するための周波数間の振幅等化を記述するフィルタである。
あるいは、加算は、加算器３６において実行され、ｇ（ｔ）についての乗算は、プロセッサ４０によって実行されてもよい。
【０１０６】
図２に示す補聴器１０は、マルチチャネル補聴器であってもよい。マルチチャネル補聴器では、処理されるべきオーディオ音声信号１４、２６は、複数の周波数チャネルに分割される。この場合、オーディオ信号は、場合によっては、整合フィルタ２０、３２とは別に、周波数チャネルの各々において個別に処理される。整合フィルタ２０、３２は、依然として補聴器１０の全周波数帯域において動作してもよく、または、他の周波数チャネル、典型的には残りの図示の回路よりも少ない周波数チャネルに分割されてもよい。
【０１０７】
マルチチャネル補聴器１０に関して、図２は、オーディオ信号１４、２６の単一の周波数チャネルにおける回路および信号処理を示していてもよい。
【０１０８】
図示の回路および信号処理は、複数の周波数チャネルにおいて、たとえば、すべての周波数チャネルにおいて二重化されてもよい。
【０１０９】
たとえば、図２に示す信号処理は、選択された周波数帯域において実行されてもよい。
【０１１０】
選択された周波数帯域は、周波数チャネルのうちの１つもしくは複数、または周波数チャネルのすべてを含んでもよい。選択された周波数帯域は、断片化されてもよく、すなわち、選択された周波数帯域は、連続する周波数チャネルを含まなくてもよい。
【０１１１】
複数の周波数チャネルは、ワーピングされた周波数チャネルを含むことができ、たとえば、すべての周波数チャネルは、ワーピングされた周波数チャネルであってもよい。
【０１１２】
オーディオ信号は、選択された周波数帯域以外で、整合フィルタリング２０、３２なしで聴力損失補償のために処理されてもよい。
【０１１３】
このようにして、拡散性雑音が存在しない周波数チャネルにおいては、整合フィルタリングが回避されてもよい。
【０１１４】
図３は、マイクロホン１２Ｂ、２４Ｂを収容する左耳ＢＴＥ補聴器と、マイクロホン１２Ａ、２４Ａを収容する右耳ＢＴＥ補聴器とを有する両耳用補聴器システムを装着しているユーザ１００を概略的に示す。
【０１１５】
信号は、信号伝達の技術分野において周知の方法で、左耳補聴器と右耳補聴器との間で有線または無線で通信されてもよい。
【０１１６】
受信された音響信号のフィルタリングに関して、両耳用補聴器システムの左耳ＢＴＥ補聴器と右耳ＢＴＥ補聴器の各々は、各補聴器のフィルタリングされたオーディオ信号が図４に示すように他方の補聴器に送信され、他方の補聴器のフィルタリングされたオーディオ信号に加算されるということを除いて、図２に示すブロック図による補聴器１０と同じように動作する。
【０１１７】
図４は、右耳補聴器１０Ａと左耳補聴器１０Ｂとを備える両耳用補聴器１０のブロック図を示す。右耳補聴器１０Ａおよび左耳補聴器１０Ｂの各々は、右耳補聴器１０Ａおよび左耳補聴器１０Ｂのそれぞれの和オーディオ信号３８Ａ、３８Ｂが、それぞれ、他方の補聴器１０Ｂ、１０Ａに送信され、それぞれのプロセッサ４０Ｂ、４０Ｂにおいて、他方の補聴器１０Ｂ、１０Ａの和オーディオ信号３８Ｂ、３８Ａに加算されるということを除いて、図２に示す補聴器１０と同じように動作する。必要な有線インターフェース回路または無線インターフェース回路は、図示されていない。
【０１１８】
さらに、垂直方向の点線によって示されるように、和オーディオ信号３８Ａ、３８ＢのＳＮＲのさらなる改善のために、加算器３６Ａ、３６Ｂに入力されるフィルタリングされた出力オーディオ信号を生成する、それぞれの整合フィルタに接続された前フィルタを有する１つまたは複数のマイクロホンが、補聴器１０Ａ、１０Ｂの回路に加えられてもよい。
【０１１９】
右耳補聴器１０Ａおよび左耳補聴器１０Ｂにおけるマイクロホンの数は、好ましくは同じであるが、そうでなくてもよい。
【０１２０】
たとえば、両耳用補聴器システム１０は、４つのマイクロホン、すなわち、それぞれ右耳補聴器１０Ａにおいて前方マイクロホン１２Ａ、後方マイクロホン２４Ａ、および左耳補聴器１０Ｂにおいて、前方マイクロホン１２Ｂおよび後方マイクロホン２４Ｂを備えることができる。
【０１２１】
図４に示す補聴器１０Ａ、１０Ｂの各々は、マルチチャネル補聴器であってもよい。マルチチャネル補聴器では、処理されるべきオーディオ音声信号１４Ａ、２６Ａ、１４Ｂ、２６Ｂは、複数の周波数チャネルに分割される。この場合、オーディオ信号は、場合によっては、整合フィルタ２０Ａ、３２Ａ、２０Ｂ、３２Ｂとは別に、それぞれの周波数チャネルにおいて個別に処理される。整合フィルタ２０Ａ、３２Ａ、２０Ｂ、３２Ｂは、依然としてそれぞれの補聴器１０Ａ、１０Ｂの全周波数帯域において動作してもよく、または、他の周波数チャネル、典型的には残りの図示された回路よりも少ない周波数チャネルに分割されてもよい。
【０１２２】
マルチチャネル補聴器１０Ａ、１０Ｂに関して、図４は、オーディオ信号１４Ａ、２６Ａ、１４Ｂ、２６Ｂの単一の周波数チャネルにおける回路および信号処理を示していてもよい。
【０１２３】
図示の回路および信号処理は、複数の周波数チャネルにおいて、たとえば、すべての周波数チャネルにおいて二重化されてもよい。
【０１２４】
たとえば、図４に示す信号処理は、選択された周波数帯域において実行されてもよい。
【０１２５】
選択された周波数帯域は、周波数チャネルのうちの１つもしくは複数、または周波数チャネルのすべてを含むことができる。選択された周波数帯域は、断片化されてもよく、すなわち、選択された周波数帯域は、連続する周波数チャネルを含まなくてもよい。
【０１２６】
複数の周波数チャネルは、ワーピングされた周波数チャネルを含んでもよく、たとえば、すべての周波数チャネルは、ワーピングされた周波数チャネルであってもよい。
【０１２７】
オーディオ信号は、選択された周波数帯域の外側で、整合フィルタリング２０Ａ、３２Ａ、２０Ｂ、３２Ｂなしで聴力損失補償のために処理されてもよい。
【０１２８】
このようにして、拡散性雑音が存在しない周波数チャネルにおいて整合フィルタリングが回避されてもよい。
【０１２９】
図４に示すように、右耳補聴器１０Ａと左耳補聴器１０Ｂの回路は、同一であってもよい。しかしながら、他の実施形態では、回路構成要素は、補聴器の技術分野において周知の設計選択に従って、２つの補聴器ハウジング間でどのように分配されてもよい。
【０１３０】
たとえば、図５に示すように、一方の補聴器１０Ａは、必要な整合フィルタ２０Ａ、３２Ａ、２０Ｂ、３２Ｂのすべてと、プロセッサ４０Ａとを備え、他方の補聴器１０Ｂは、整合フィルタおよびプロセッサを備えなくてもよい。代わりに、前処理されたマイクロホン出力信号１８Ｂ、３０Ｂは、それぞれの整合フィルタ２０Ｂ、３２Ｂを備える補聴器に送信され、プロセッサ４０Ａは、ユーザの両耳のための聴力損失補償出力信号４２Ａ、４２Ｂを出力するように構成される。他方の耳のための聴力損失補償出力信号４２Ｂは、次いで、整合フィルタを備えない補聴器１０Ｂに送信され、補聴器１０Ｂの出力トランスデューサ４４Ｂに入力される。
補聴器１０Ａ、１０Ｂ間の信号伝送のために必要な有線インターフェース回路または無線インターフェース回路は、図示されていない。
【０１３１】
図６は、図２に示す補聴器１０の和オーディオ信号３８の指向性プロット５０を、前方マイクロホン・オーディオ信号１４の指向性６０の形態の、従来技術の無指向性処理の指向性プロット６０と比較して示す。指向性は、非常に類似しており、したがって、整合フィルタがあっても環境認識の喪失が回避されることは、注目に値する。
【０１３２】
相互に無相関の白色雑音系列がマイクロホン１２、２０に加えられると、結果として生じるＳＮＲ値は、前方マイクロホン・オーディオ信号（従来の無指向性応答）について−１．２８ｄＢと算出される。和オーディオ信号３８に関する対応するＳＮＲ値は、５．９２ｄＢに等しい。したがって、この例では、環境認識を犠牲にすることなく、ＳＮＲを約７ｄＢ改善することができる。
【０１３３】
開示された方法は、マイクロホン雑音を抑制するために使用されてもよい。
【０１３４】
本明細書で使用される場合、「実質的に整合する」という用語、または「実質的に等しい」などの他の類似の用語はいずれも、互いの差が１０％を超えない２つの項目を指す。たとえば、別のインパルス応答に「実質的に等しい」インパルス応答に関する記述は、互いの差が１０％を超えないという少なくとも１つの特徴を有する２つのインパルス応答を指す。同様に、音声伝播経路の伝達関数と「実質的に整合する」整合フィルタの整合伝達関数に関する記述は、互いの差が１０％を超えないという少なくとも１つの特性を有する整合伝達関数および音声伝播経路の伝達関数を指す。
【０１３５】
特定の特徴が示され、説明されているが、それらは、特許請求の範囲に記載された発明を限定することが意図するものではないことが理解され、様々な変更および修正が、特許請求の範囲に記載された発明の要旨および範囲から逸脱することなく行われてもよいことが当業者には明らかになるであろう。したがって、明細書および図面は、限定的ではなく例示的な意味で考慮されるべきである。特許請求の範囲に記載された発明は、すべての代替物、修正物、および均等物を包含することを意図するものである。
【図１】
0006267834.tif 000016
【図２】
0006267834.tif 000017
【図３】
0006267834.tif 000018
【図４】
0006267834.tif 000019
【図５】
0006267834.tif 000020
【図６】
0006267834.tif 000021